(57)【要約】【課題】操縦性を良くしながら機体の前後の長さを短くして小回り作業ができ、かつ、条件の悪い軟弱な圃場においても作業が楽に行え、しかも、成形し終えたロールベールを梱包し、放出する間においても、作業を連続して行い得るようロールベーラを構成する。【解決手段】車体ａを自走式クローラ型とし、この車体ａの後半側に、後端側からベールチャンバｄと、トワイン・ネット繰出装置ｇと、ホッパｂとを、その順に前後に並列させて装架し、車体ａの前半側には、後端側に寄せた部位に、エンジンＥとミッション部Ｍとを、左右に並列させて装架し、エンジンＥの前面側に運転座席Ｓと操縦装置ｈを配設し、ミッション部Ｍの前面の空間に、収穫機昇降用の昇降機構２を配設し、その昇降機構２の前端側に、車体ａの前面に配位した収穫機ｅを連結支持せしめ、その収穫機ｅの放出シュートｆを、平面視において運転座席Ｓと昇降機構２の間に配設する。【選択図】        図５
2004321061.tif 000002
【特許請求の範囲】
【請求項１】
車体ａを、それの左右の両側に無限軌道履帯１０を履いたクローラ式走行装置１を装架し、その車体ａに装架せるエンジンＥにより駆動せしめて自走式クローラ型とし、この車体ａの後半側に、後端側からベールチャンバｄと、トワイン・ネット繰出装置ｇと、ホッパｂとを、その順に前後に並列させて装架し、そのホッパｂの底部の下方およびトワイン・ネット繰出装置ｇの下方に、ホッパｂの底部の繰出口から繰り出される細断物をベールチャンバｄの受入口に搬送する搬送コンベアｃを装架し、車体ａの前半側には、それの後端側に寄せた部位に、エンジンＥとそれの出力軸に入力軸が伝導連繋するミッション部Ｍとを、エンジンＥが左右の一側に位置しミッション部Ｍが他側に位置するよう左右に並列させて装架し、そのエンジンＥの前面側に運転座席Ｓおよび操縦装置ｈを配設してミッション部Ｍの前方を空間に形成し、このミッション部Ｍの前面の空間に、収穫機昇降用の左右の回動アーム２０・２０および油圧シリンダ２１およびトップリンク２２等からなる昇降機構２を配設し、その昇降機構２の前端側に、車体ａの前面に配位した収穫機ｅを連結支持せしめ、その収穫機ｅの放出シュートｆを、平面視において運転座席Ｓと昇降機構２の間を経てホッパｂの上方に向かうよう配設したことを特徴とするロールベーラ。
【請求項２】
車体ａを、それの左右の両側に無限軌道履帯１０を履いたクローラ式走行装置１を装架し、その車体ａに装架せるエンジンＥにより駆動せしめて自走式クローラ型とし、この車体ａの後半側に、後端側からベールチャンバｄと、トワイン・ネット繰出装置ｇと、ホッパｂとを、その順に前後に並列させて装架し、そのホッパｂの底部の下方およびトワイン・ネット繰出装置ｇの下方に、ホッパｂの底部の繰出口から繰り出される細断物をベールチャンバｄの受入口に搬送する搬送コンベアｃを装架し、車体ａの前半側には、それの後端側に寄せた部位に、エンジンＥとそれの出力軸に入力軸が伝導連繋するミッション部Ｍとを、エンジンＥが左右の一側に位置しミッション部Ｍが他側に位置するよう左右に並列させて装架し、そのエンジンＥの前面側に運転座席Ｓおよび操縦装置ｈを配設してミッション部Ｍの前方を空間に形成し、このミッション部Ｍの前面の空間に、収穫機昇降用の左右の回動アーム２０・２０および油圧シリンダ２１およびトップリンク２２等からなる昇降機構２を配設し、その昇降機構２の前端側に、車体ａの前面に配位した収穫機ｅを連結支持せしめ、運転座席Ｓの側方で前記昇降機構２の上方に、前記収穫機ｅから放出される細断処理した飼料作物を前記ホッパｂに送り込むコンベア９を配位して車体ａに装架せしめたことを特徴とするロールベーラ。
【請求項３】
収穫機ｅを、飼料作物を収穫する収穫部４ａと収穫した飼料作物を細断処理する細断処理部４ｂとに分離可能とし、その細断処理部４ｂを昇降機構２の前端部に装脱自在に組み付け、収穫部４ａを細断処理部４ｂの前面に連結金具４８を介し装脱自在に組み付けたことを特徴とする請求項１または請求項２記載のロールベーラ。
【請求項４】
収穫機ｅの放出シュートｆの先端に、平面視において、放出方向に向け左右に拡巾する末広形に形成した下向きチャンネル状のディフレクタ８を取り付け、それの天板８１の内面側に、側面視において先端側が底辺で基端側が頂点となり下縁が斜辺となる三角板状に形成した案内板８２を、複数枚、巾方向に並列させて垂設したことを特徴とする請求項１記載のロールベーラ。
【請求項５】
搬送コンベアｃを、ホッパｂの底部の繰出口の下方からトワイン・ネット繰出装置ｇの下方の前端側に渡る間に装設する第１の搬送コンベアｃ−１と、その第１の搬送コンベアｃ−１の搬送方向の終端部の下方からベールチャンバｄの受入口に渡る間に装設する第２の搬送コンベアｃ−２とに分け、それらを、各別の駆動可能とし、かつ、第２の搬送コンベアｃ−２を、第１の搬送コンベアｃ−１およびホッパｂ内のアジテータ３１の作動を停止せしめた状態において、トワイン・ネット繰出装置ｇとともに作動させ得るよう制御せしめたことを特徴とする請求項１または請求項２記載のロールベーラ。
【発明の詳細な説明】
【０００１】
【発明が属する技術分野】
本発明は、収穫機により収穫されて細断された飼料作物を、車体に装架したホッパに受け入れて、そのホッパの底部から順次繰り出し、車体に装架してあるベールチャンバに送り込んで、ロールベールに成形する形態のロールベーラについての改良に関する。
【０００２】
【従来の技術】
上述の形態のロールベールには、図１および図２にあるように、被牽引式に構成した車体ａに、細断された飼料作物等の被成形材料を受け入れるホッパｂと、それの底部から順次繰り出される被成形材料を搬送する搬送コンベアｃと、それにより搬送される被成形材料を受け入れてロールベールに成形するベールチャンバｄとを装架して、この被牽引式の車体ａを、トラクタＴの機体の後部に連結し、トラクタＴの走行により牽引されて走行するようにし、このトラクタＴの機体の側面に、サイドヒッチを介して収穫機ｅを連結装架し、その収穫機ｅに装備された細断処理物を吹き上げる放出シュートｆの放出口を、被牽引式の車体ａに装架した前述のホッパｂの受入口に臨ませることで、収穫機ｅにより収穫されて細断処理され、放出シュートｆから放出される被成形材料をホッパｂに受け入れ、それの底部から順次繰り出してベールチャンバｄに送り込み、ロールベールに成形する形態のものがある。
【０００３】
また、図３にあるように、エンジンＥおよび運転座席Ｓを装備して自走して走行する車体ａに、被成形材料を受け入れるホッパｂと、それの底部から順次繰り出される被成形材料を搬送する搬送コンベアｃと、それにより搬出される被成形材料を受け入れてロールベールに成形するベールチャンバｄを装架しておいて、その車体ａの前部に、収穫機ｅを三点リンク式の連結機構を介し組み付け装架し、その収穫機ｅに装備してある細断装置の放出シュートｆの放出口を、車体ａに装架したホッパｂの受入口に臨ませておき、車体ａを運転走行させて収穫機ｅで収穫して細断処理した被成形材料を、放出シュートｆでホッパｂ内に投入し、そのホッパｂの底部から順次繰り出してベールチャンバｄ内に送り込み、ロールベールに成形する形態のものがある。
【０００４】
【発明が解決しようとする課題】
上述の、飼料作物を、収穫機で収穫して細断処理し、その処理した飼料作物を収穫機の放出シュートによりホッパに投入し、そのホッパの底部から順次繰り出してベールチャンバに送り込んで、ロールベールに成形する形態の、従前のロールべーラは、図１および図２に示したトラクタＴに連結牽引させるトラクタ連結型のものには、
（１）  第１には、牽引するトラクタＴの前端から牽引されるロールベーラの車体ａの後端までの、全体の機体長さが長くなって、小回りの作業ができず、作業性が悪い。
（２）  第２には、トラクタＴがホイルにより走行することで、作業し得る圃場が、トラクタＴによる牽引走行を可能とする条件の圃場に限られ軟弱な条件の圃場では作業ができない。
（３）  第３には、ベールチャンバｄ内で成形するロールベールが所定の径に達して、それをトワインまたはネットにより梱包するときに、その梱包を終えてロールベールを放出するまで、ホッパｂの底部の繰出機構の作動と車体ａの走行とを停止させなければならないことから作業が間欠的になり、連続作業が行えない。という問題がある。
また、図３に示している自走型のものには、
（１）  自走する車体ａの前面に組み付けた収穫機ｅで収穫して細断した飼料作物を、収穫機ｅに装備してある放出シュートｆで、車体ａの後部側に装架してあるホッパｂ内に投入していくときに、車体ａの前部側に装架してある運転座席Ｓに座乗したオペレータの頭上を越して放てきしていくことで、作業性が悪く、また、運転者の前面に、収穫機ｅの放出シュートｆが位置することで、視界が阻げられ操縦性が悪い。
（２）  車体ａの走行をホイルにより行っていることで、圃場条件の良いところでないと作業できない。
（３）  ベールチャンバｄ内でのロールベールの成形が、所定の成形圧に対して、トワインまたはネットにより梱包するときに、ホッパｂの底部の繰出機構の作動と車体ａの走行とを停止させなければならないので、作業が間欠的になり連続作業が行えない。
という、前述した図１および図２にあるトラクタ連結型のものと同様の問題がある。
【０００５】
本発明は、従前のロールベーラに生じている上述の問題を解消せしめるためになされたものであって、操縦性を良くしながら機体の前後の長さを短くして小回り作業ができ、かつ、条件の悪い軟弱な圃場においても作業が楽に行え、しかも、成形し終えたロールベールを梱包し、放出する間においても、作業を連続して行い得るようロールベーラを構成することを目的とする。
【０００６】
【課題を解決するための手段】
そして、この目的を達成するために、本発明においては、車体ａを、それの左右の両側に無限軌道履帯１０を履いたクローラ式走行装置１を装架し、その車体ａに装架せるエンジンＥにより駆動せしめて自走式クローラ型とし、この車体ａの後半側に、後端側からベールチャンバｄと、トワイン・ネット繰出装置ｇと、ホッパｂとを、その順に前後に並列させて装架し、そのホッパｂの底部の下方およびトワイン・ネット繰出装置ｇの下方に、ホッパｂの底部の繰出口から繰り出される細断物をベールチャンバｄの受入口に搬送する搬送コンベアｃを装架し、車体ａの前半側には、それの後端側に寄せた部位に、エンジンＥとそれの出力軸に入力軸が伝導連繋するミッション部Ｍとを、エンジンＥが左右の一側に位置しミッション部Ｍが他側に位置するよう左右に並列させて装架し、そのエンジンＥの前面側に運転座席Ｓおよび操縦装置ｈを配設してミッション部Ｍの前方を空間に形成し、このミッション部Ｍの前面の空間に、収穫機昇降用の左右の回動アーム２０・２０および油圧シリンダ２１およびトップリンク２２等からなる昇降機構２を配設し、その昇降機構２の前端側に、車体ａの前面に配位した収穫機ｅを連結支持せしめ、その収穫機ｅの放出シュートｆを、平面視において運転座席Ｓと昇降機構２の間を経てホッパｂの上方に向かうよう配設して、ロールベーラを構成する手段を提起するものである。
【０００７】
また、これに併せて、車体ａを、それの左右の両側に無限軌道履帯１０を履いたクローラ式走行装置１を装架し、その車体ａに装架せるエンジンＥにより駆動せしめて自走式クローラ型とし、この車体ａの後半側に、後端側からベールチャンバｄと、トワイン・ネット繰出装置ｇと、ホッパｂとを、その順に前後に並列させて装架し、そのホッパｂの底部の下方およびトワイン・ネット繰出装置ｇの下方に、ホッパｂの底部の繰出口から繰り出される細断物をベールチャンバｄの受入口に搬送する搬送コンベアｃを装架し、車体ａの前半側には、それの後端側に寄せた部位に、エンジンＥとそれの出力軸に入力軸が伝導連繋するミッション部Ｍとを、エンジンＥが左右の一側に位置しミッション部Ｍが他側に位置するよう左右に並列させて装架し、そのエンジンＥの前面側に運転座席Ｓおよび操縦装置ｈを配設してミッション部Ｍの前方を空間に形成し、このミッション部Ｍの前面の空間に、収穫機昇降用の左右の回動アーム２０・２０および油圧シリンダ２１およびトップリンク２２等からなる昇降機構２を配設し、その昇降機構２の前端側に、車体ａの前面に配位した収穫機ｅを連結支持せしめ、運転座席Ｓの側方で前記昇降機構２の上方に、前記収穫機ｅから放出される細断処理した飼料作物を前記ホッパｂに送り込むコンベア９を配位して車体ａに装架せしめてロールベーラを構成する手段を提起するものである。
【０００８】
この手段によれば、車体ａがクローラ式の走行装置１で走行することで、軟弱な条件の圃場においても作業ができ、また、運転座席Ｓを車体ａの前端側の左右の一側に位置し、その運転座席Ｓの側方の左右の他側に、収穫機ｅの昇降機構２を配設し、それの前端に収穫機ｅを連結することで、車体ａの前端側に殆ど直装的に収穫機ｅが装架されるので、車体の全長が短くなって、小回り作業が可能となり、また、収穫機ｅの放出シュートｆが運転座席Ｓの側方で車体ａの中央に位置して運転者の視界を阻げることがないから操縦性を良くする。
【０００９】
さらに、前述の手段において、車体ａの前端側に装架する収穫機ｅは、飼料作物を収穫する収穫部４ａと収穫した飼料作物を細断処理する細断処理部４ｂとを分離可能とし、その細断処理部４ｂを昇降機構２の前端部に装脱自在に組み付け、収穫部４ａを細断処理部４ｂの前面に装設せる連結金具５４に装脱自在に組み付ける手段を提起する。
【００１０】
この手段によれば、ロークロップユニットや、ピックアップユニットおよびモアーバーユニット、スノーブロワ、ロールベールハンドリング装置、ドーザーブレード等を、簡単に互換して装着でき、収穫物および収穫方法に合わせて、効率的な汎用利用ができる。
【００１１】
また、前述の手段において、それの収穫機ｅの放出シュートｆの先端の放出口に、放出方向に向け左右に広がる末広形に形成したディフレクタ８を取り付け、それの天板８１の内側に、複数枚の案内板８２を、側面視において、下縁が斜辺となる三角板状に形成して、左右に並列させて垂設しておく手段を提起するものである。
【００１２】
この手段によれば、放出シュートｆによりホッパｂに吹き込む細断処理した飼料作物を、放出シュートｆの吹き出し方向の調整を行わないでも、ホッパｂ内に略均等に投入していけるようになる。
【００１３】
また、第１の手段において、ホッパｂの底部から繰出機構８４により繰り出される飼料作物の細断処理物をベールチャンバｄに搬送する搬送コンベアｃを、ホッパｂの底部の繰出口の下方からトワイン・ネット繰出装置ｇの下方の前端側に渡る第１の搬送コンベアｃ−１と、この第１の搬送コンベアｃ−１の搬送方向の終端部からトワイン・ネット繰出装置ｇの下方を経て、ベールチャンバｄの受入口に渡る第２の搬送コンベアｃ−２とに分け、第１の搬送コンベアｃ−１の駆動を停止させた状態において、第２の搬送コンベアｃ−２とトワイン・ネット繰出装置ｇとを駆動し得るようにしておく手段を提起するものである。
【００１４】
この手段によれば、第１の搬送コンベアｃ−１の作動を停めておくことで、車体ａの進行により収穫機ｅによる収穫・細断を行いながら、ロールベールの梱包と放出作業が行えることになり、連続作業を可能とする。
【００１５】
【発明の実施の形態】
次に実施の態様を、図示する実施例に随い説明する。
図４・図５・図６は、本発明手段を実施せる自走型のロールベーラＡの平面図および一部破断した平面図ならびに側面図で、同図において、ａは車体、１は走行装置、ｅは車体ａの前面に連結装架した収穫機、ｆはその収穫機ｅの放出シュート、ｂは放出シュートｆから吹き出される飼料作物の細断物を受け入れるホッパ、ｃはホッパｂの底部の繰出口から繰り出される飼料作物の細断物を搬送する搬送コンベア、ｄは搬送されてくる飼料作物の細断物を受入口から受け入れてロールベールＲに成形するベールチャンバ、ｇはそのベールチャンバｄ内での成形が終えたロールベールＲを梱包するトワイン・ネットを繰り出すトワイン・ネット繰出装置、Ｅは走行装置１および各作業部を駆動するために車体ａに装架したエンジン、Ｓは運転座席、ｈは操縦装置を示す。
【００１６】
車体ａは、枠組みした車体フレームの底面の左右の両側に走行装置１・１を装架した台車状に構成し、その走行装置１は、駆動輪１１と従動輪１２とに無限軌道履帯１０を巻きかけ中間を転輪１３に支承させたクローラ型に構成し、それを車体ａに装架したエンジンＥにより駆動して、これによりクローラにより自走して走行する自走式クローラ型に構成する。
【００１７】
この自走式クローラ型の車体ａ上には、それの後半側に、後端側からベールチャンバｄと、トワイン・ネット繰出装置ｇと、ホッパｂとをその順に並列させて装架し、そのホッパｂの底部の繰出口３０の下方からトワイン・ネット繰出装置ｇの下方を経てベールチャンバｄの受入口３２に渡る間に、ホッパｂの繰出口３０から繰り出される飼料作物の細断物を搬送する搬送コンベアｃを設ける。
【００１８】
そして、車体ａの前半側には、エンジンＥおよびミッション部Ｍならびに運転座席Ｓを装架するが、そのエンジンＥとミッション部Ｍは、それらの出力軸と入力軸とを連繋して、一体的に組み合わせ連結した状態において、それらエンジンＥとミッション部Ｍとが左右に並列する状態姿勢として、車体ａの前半側の後端側に寄せた位置に、例えば、図５に示している例の如く、エンジンＥが前半側の左右の一側の左側に位置し、ミッション部Ｍが左右の他側となる右側に位置するように配位して、車体ａに装架する。
【００１９】
そして、運転座席Ｓは、エンジンＥの前方位置に装架し、その前面側に操縦装置ｈを装架して、ミッション部Ｍの前方でエンジンＥおよび操縦装置の側方を空間に形成する。
【００２０】
そして、この空間に、図７にあるように、ミッション部Ｍの上部に設けた支点軸Ｐ１中心に上下に回動する左右に一対の回動アーム２０・２０と、これらを昇降回動させる油圧シリンダ２１と、下端部を車体ａの前端部に設けた連結軸Ｐ２中心に昇降回動するトップリンク２２等からなる昇降機構２を配位して装設し、かつ、前述のミッション部Ｍの上部に装設したＰＴＯ軸（ＰＴＯ）に基端側を接続するユニバーサルジョイント軸２３を、昇降回動するように配設しておく。
【００２１】
そして、前述の左右に一対の回動アーム２０・２０の前端部およびトップリンク２２の前端側には、それらに連結して剛体枠を構成する作業機取付座２ａを連結し、これに前端側を連結しておく前述の油圧シリンダ２１の伸縮作動により、昇降機構２が昇降作動して、作業機取付座２ａに装架した収穫機ｅが昇降するようにする。
【００２２】
収穫機ｅは、圃場に植生している飼料作物または、刈り倒されて予乾してある飼料作物を収穫する収穫部４ａと、収穫した飼料作物を細断処理する細断処理部４ｂとからなる通常の形態のものである。
【００２３】
細断処理部４ｂは、図１８にあるように、機筺状に組み立てた機枠本体４０に、ドラム状に形成したケーシング４１を装架し、そのケーシング４１内に、それの軸心部に設けた回転軸４２によりシリンダ状に回転する輪体４３と、その輪体４３の周縁部に取り付ける回転刃４４とからなるシリンダ型の切断機構を収蔵し、それの回転刃４４と対向する固定刃４５を、ケーシング４１の周壁に開設した供給口４６の口縁部に固定して組み付け、供給口４６の前面には、上下に一対に対向する送込ロール４７・４７を機枠本体４０に軸支して装設し、その送込ロール４７・４７により供給口４６に送給する飼料作物を、回転する回転刃４４と固定刃４５とにより切截して細断し、その細断物を輪体４３に設ける翼板によりケーシング４１の吐出口に接続する放出シュートｆに吹き上げるようにした通常の形態のものであり、ケーシング４１内に収蔵せしめる切断機構は、フライホイル型とする場合がある。
【００２４】
そして、この細断処理部４ｂは、機枠本体４０が一対の送込ロール４７・４７を軸支している部位の前面において、その送込ロール４７・４７の前面側を露出させる取入口として開放し、この取入口をもって、収穫部４ａと分かれるように切り離され、それらの間に装設する連結金具４８により装脱自在に連結させている。
【００２５】
このことから、車体ａの前面に装架する収穫機ｅは、収穫部４ａを連結する前の状態では、図８および図９に示す状態となる。
【００２６】
また、収穫機ｅの収穫部４ａは、図３〜図５に示している例においては、左右に一対の分草杆５０・５０を、前方に突出するように設けた機枠５１の底面側に図１９あるように設けた回転刃５２により刈り取って収穫した飼料作物を、機枠５１の上面側に設けた左右に一対に並列する掻込ロール５３で後方に送り出すようにした形態のもので、それの機枠５１の上部および下部に設けた連結金具５４を、前述の細断処理部４ｂの機枠本体４０に設けた連結金具４８と結合させることで、細断処理部４ｂと連結して、収穫機ｅを構成するようにしてある。
【００２７】
図１０は、前述の収穫機ｅの収穫部４ａと互換して、細断処理部４ｂに接続して組み付ける別の収穫部４ａ’を示している。
【００２８】
この別の収穫部４ａ’は、稲・麦・牧草類を飼料作物として刈り取り収穫し、細断処理してロールベールに成形し梱包するときの、稲・麦・牧草類の収穫用に形成したもので、機枠６０には、左右に一対に設けた分草杆６１・６１の上方に、図１１にあるように立毛中の稲・麦・牧草類の稈を掻き込む大径の掻込リール６２を横架軸支し、これの下方で左右の分草杆６１・６１の基端側となる部位に、レシプロ式の刈刃機構６３を装設し、これの後方に、刈刃機構６３で刈り取られた稲・麦・牧草類を、左右方向の中央に向けて寄せ集めるオーガー６４を横架軸支し、そのオーガー６４の下方から後方を囲うガイド壁６５の左右の中央部位に、集めた穀稈を後方に排出する排出口６６を開設して構成してあり、これを、前述の収穫機ｅの細断処理部４ｂの機枠本体４０に連結金具６７により接続して連結することで、収穫した稲・麦・牧草の稈・葉及び穂を細断処理して放出シュートｆからホッパｂに放出するようにしている。
【００２９】
次に図１２・図１３は、さらに別の収穫部４ａ”を表示してこの収穫部は、圃場に刈り倒されてウインドローとして予乾してある飼料作物を、ピックアップして集め、細断処理部４ｂに送り込むようにするために構成した形態のもので、機枠７０の前端側に、飼料作物のウインドローをピックアップしていくピックアップ装置７１を装架し、これの後方に、ピックアップされた飼料作物を、左右の巾方向の中央部に寄せたオーガー７２を横架軸支し、そのオーガー７２の下面側から後面側を囲うガイド壁７３の巾方向の中央部位にオーガー７２により寄せ集めた飼料作物を後方に送り出す送出口７４を開設しておいて、機枠７０を細断処理部４ｂの前面に、図１３にあるように接合して連結金具７５によりセットすることで、ピックアップした飼料作物のウインドローを、送出口７４から細断処理部４ｂの受入口である上下の送込ロール４７・４７の対向間隔に向け送り出し、細断処理部４ｂの切断機構で細断して、放出シュートｆに吹き上げ、その放出シュートｆの先端の放出口からホッパｂ内に吹き込むようにしてある。
【００３０】
しかして、収穫機ｅは、前述した如く、車体ａに装架した運転座席Ｓの側方に形成される空間に配設する昇降機構２の前端部に連結装着することで、車体ａの前面側に、殆ど直装状態に近接させて装架するとき、切断機構を収蔵するケーシング４１の吐出口に接続する放出シュートｆの基端部が、図５にあるように、運転座席Ｓに対して側方に偏位する車体ａの左右の略中心部位を占めるように構成し、この放出シュートｆを平面視において図４にあるよう運転座席Ｓの側方で、その運転座席Ｓと昇降機構２との間に位置して後方のホッパｂの上方に向け彎曲して延出していくようにし、これにより、運転座席Ｓに座乗する運転者の前方視界を阻げず、かつ、収穫機ｅを昇降させる昇降機構２の作動に支障を生ぜしめないようにする。
【００３１】
また、この放出シュートｆは、それの先端側の放出口に、図１４に示しているよう下向きのチャンネル状に成形したディフレクタ８を、支点軸８０中心とする上下の回動により、所望の折曲角度に調整自在に取り付けて、先端の放出口から吹き出される飼料作物の細断物の吹き出し方向を調整し得るようにしてよいものであるが、図示する実施例にあっては、この放出シュートｆの筒先の放出口に、下向きチャンネル状のディフレクタ８を、支点軸８０中心に折り曲げ回動して、その折り曲げ角度が所望に調整して設定できるように取り付ける際、このディフレクタ８を、図１５にあるように、平面視において、放出方向に向け次第に左右に拡巾して行く末広形に形成して取り付け、かつ、これの天板８１の末広形をなす部位８１０の内面側に、図１６にあるように、側面視において，放出方向の先端側が底辺で下縁側が斜辺となり基端側が頂点となる三角形状に形成した案内板８２を、複数枚、図１５にあるように、巾方向に並列し、かつ、それら案内板８２の間隔が次第に拡巾していく末広形をなすように配列させて取り付けている。
【００３２】
このように構成したディフレクタ８を放出シュートｆの先端側の放出口に取り付けたときは、放出シュートｆの先端から吹き出される細断物が、左右に均分して拡散した状態となって、ホッパｂ内に吹き込まれるので、放出シュートｆの基端部ｆ１と先端部ｆ２との間に、その基端部ｆ１に対し先端部ｆ２が放出シュートｆの軸心線中心に所望の回動角度量を首振り回動させ得るように装設しておく旋回回動装置８３を作動させて、放出シュートｆを首振り回動させ、ホッパｂ内に対する細断物の投入位置を変更調整する作動を行わないでも、ホッパｂ内に均等に細断物を吹き込み投入していけるようになる。
【００３３】
また、放出シュートｆは固定状態としておいてよいので、旋回回動装置８３の省略を可能とする。
【００３４】
このようにして、収穫機ｅにより細断処理されてホッパｂ内に吹き込まれる細断物は、ホッパｂ内に装設しておくアジテータ３１・３１の作動によりホッパｂの底部の繰出口３０から繰り出され、その下方に設けてある搬送コンベアｃによりベールチャンバｄの受入口３２に向け搬送されてロールベールに成形されていくが、このホッパｂの底部から繰り出される細断物を搬送する搬送コンベアｃは、この実施例においては、ホッパｂの底部の繰出口３０の下方からトワイン・ネット繰出装置ｇの下方に形成されるトワイン・ネットの繰出用の空間の前端部に渡る間に位置する第１の搬送コンベアｃ−１と、この第１の搬送コンベアｃ−１の終端部の下方からベールチャンバｄの受入口３２に渡る間に位置する第２の搬送コンベアｃ−２とに分けてある。
【００３５】
そして、これら第１および第２の搬送コンベアｃ−１・ｃ−２は、それぞれが各別に駆動し得るように制御せしめてあり、かつ、第２の搬送コンベアｃ−２は、第１の搬送コンベアｃ−１がアジテータ３１と共に作動を停止させている状態においても、トワイン・ネット繰出装置ｇとともに駆動させ得るように制御してあって、これにより、ベールチャンバｄ内におけるロールベールの成形が所定の圧力又は、径に達したことで、トワイン・ネットを繰り出して梱包を行うときに、第１の搬送コンベアｃ−１およびアジテータ３１の作動を停めて、細断物の繰り出しを阻止した状態として、車体ａの進行により飼料作物の収穫を行いながらロールベールの梱包・放出の作業が行えるようにしている。
【００３６】
次に、図２０および図２１は、車体ａの前面に装架した収穫機ｅで細断処理した飼料作物を、車体ａの後半側に装架したホッパｂに送給するのに、コンベア９を用いた例のロールベーラＡを示している。
【００３７】
この例のロールベーラＡ’は、それの全体の構成は前述した例のロールベーラＡと変わりはなく、車体ａを、それの左右の両側に無限軌道履帯１０を履いたクローラ式走行装置１を装架し、その車体ａに装架せるエンジンＥにより駆動せしめて自走式クローラ型とし、この車体ａの後半側に、後端側からベールチャンバｄと、トワイン・ネット繰出装置ｇと、ホッパｂとを、その順に前後に並列させて装架し、そのホッパｂの底部の下方およびトワイン・ネット繰出装置ｇの下方に、ホッパｂの底部の繰出口から繰り出される細断物をベールチャンバｄの受入口に搬送する搬送コンベアｃを装架し、車体ａの前半側には、それの後端側に寄せた部位に、エンジンＥとそれの出力軸に入力軸が伝導連繋するミッション部Ｍとを、エンジンＥが左右の一側に位置しミッション部Ｍが他側に位置するよう左右に並列させて装架し、そのエンジンＥの前面側に運転座席Ｓおよび操縦装置ｈを配設してミッション部Ｍの前方を空間に形成し、このミッション部Ｍの前面の空間に、収穫機昇降用の左右の回動アーム２０・２０および油圧シリンダ２１およびトップリンク２２等からなる昇降機構２を配設し、その昇降機構２の前端側に、車体ａの前面に配位した収穫機ｅを連結支持せしめ、収穫機昇降用の昇降機構２を配設したミッション部Ｍの前方の空間の上方には、収穫機ｅにより細断処理されて放出される飼料作物を前記ホッパｂに向け搬送してそのホッパｂ内に投入するコンベア９を配位し、これをサポート９ａにより車体ａに対し装架することで、ロールベーラＡ’に構成している。
【００３８】
コンベア９は、フレーム９０に、駆動輪９１と従動輪９２と転輪９３とを軸支して、これらに、巾広のコンベアベルト９４を巻き掛けて構成する通常のものであり、それの駆動輪９１は、収穫機ｅの機体に組み付けた伝導機構に出力軸（図示省略）を設けて、その出力軸から伝導機構を介し伝導して駆動するようにしている。
【００３９】
そして、このコンベア９は、回動アーム２０の回動により収穫機ｅを昇降させたときに、その収穫機ｅと共に昇降するよう収穫機ｅの機体に装架せしめている。
【００４０】
また、コンベア９は、図示する例においては、収穫機ｅの放出シュートｆから放出される細断処理された飼料作物を、搬送方向の始端側で受けとめてホッパｂの上面側の開放口に向け送り上げ、ホッパｂ内に投入するようにしているが、収穫機ｅを吹上ブロックを有しない切り落とし式とした場合には、細断処理された飼料作物が排出されていく放出口の下方に、このコンベア９の始端側を臨ませて、このコンベア９により飼料作物を揚送してホッパｂ内に投入していくようにする。
【００４１】
このように構成するロールベーラＡ’も、車体ａの前半側の一側に操縦席Ｓと操縦装置ｈが位置し、前半側の他側に、収穫機昇降用の昇降機構２と、収穫機ｅで細断処理した飼料作物をホッパｂに送りコンベア９とが、上下に並列して装設されることから、操縦性を良好にしながら、全体の前後長さを短くできるようになり、また、前述した例のものと同様の利益が得られるようになる。
【００４２】
【発明の効果】
以上説明したように、本発明手段により構成するロールベーラは、車体を自走式クローラ型とし、かつ、操縦性を良好にしながら、全体の前後長さを短くしているので、小回り作業ができ、また、軟弱な条件の圃場においても楽に作業ができるようになる。さらに、搬送コンベアを第１と第２とに分けて、各別に作動させるよう制御しておくことで、連続作業を可能とするようになる。
【図面の簡単な説明】
【図１】従前のトラクタの連結型のロールベーラの側面図である。
【図２】同上のロールベーラの平面図である。
【図３】従前の自走型ロールベーラの側面図である。
【図４】本発明を実施せる自走式クローラ型のロールベーラの平面図である。
【図５】同上の一部破断した平面図である。
【図６】同上の側面図である。
【図７】同上の昇降機構の側面図である。
【図８】同上の車体の前面に装架した収穫機から収穫部を取り外した状態の平面図である。
【図９】同上の同上状態の側面図である。
【図１０】同上のロールベーラに装架する収穫機に互換自在に組み付ける別の形態の収穫部の平面図である。
【図１１】同上収穫部を組み付けた状態のロールベーラの要部の側面図である。
【図１２】同上のロールベーラに装架する収穫機に互換自在に組み付けるさらに別の形態の収穫部の平面図である。
【図１３】図のロールベーラの同上収穫部を組み付けた状態の要部の側面図である。
【図１４】同上ロールベーラの同上収穫機の放出シュートの先端に設けるディフレクタの斜視図である。
【図１５】同上ディフレクタの別の実施例の平面図である。
【図１６】同上ディフレクタの側面図である。
【図１７】同上ディフレクタの斜視図である。
【図１８】同上のロールベーラに装架する収穫機の細断処理部の縦断側面図である。
【図１９】同上の細断処理部に収穫部をセットした状態の一部破断した側面図である。
【図２０】本発明を実施せる自走式クローラ型のロールベーラの別の実施例の側面図である。
【図２１】同上の平面図である。
【符号の説明】
Ａ…ロールベーラ、Ｒ…ロールベール、Ｅ…エンジン、Ｍ…ミッション部、Ｓ…運転座席、Ｔ…トラクタ、ＰＴＯ…ＰＴＯ軸、Ｐ１…支点軸、Ｐ２…連結軸、ａ…車体、ｂ…ホッパ、ｃ・ｃ−１・ｃ−２…搬送コンベア、ｄ…ベールチャンバ、ｅ…収穫機、ｆ…放出シュート、ｆ１…基端部、ｆ２…先端部、ｇ…トワイン・ネット繰出装置、ｈ…操縦装置、１…クローラ式走行装置、１０…無限軌道履帯、１１…駆動輪、１２…従動輪、１３…転輪、２…昇降機構、２ａ…作業機取付座、２０…回動アーム、２１…油圧シリンダ、２２…トップリンク、２３…ユニバーサルジョイント軸、３０…繰出口、３１…アジテータ、３２…受入口、４ａ・４ａ’・４ａ”…収穫部、４ｂ…細断処理部、４０…機枠本体、４１…ケーシング、４２…回転軸、４３…輪体、４４…回転刃、４５…固定刃、４６…供給口、４７…送込ロール、４８…連結金具、５０…分草杆、５１…機枠、５２…回転刃、５３…掻込ロール、５４…連結金具、６０…機枠、６１…分草杆、６２…掻込ロール、６３…刈刃機構、６４…オーガー、６５…ガイド壁、６６…排出口、６７…連結金具、７０…機枠、７１…ピックアップ装置、７２…オーガー、７３…ガイド壁、７４…送出口、７５…連結金具、８…ディフレクタ、８０…支点軸、８１…天板、８１０…末広形をなす部位、８２…案内板、８３…旋回回動装置、８４…繰出機構、９…コンベア、９ａ…サポート、９０…フレーム、９１…駆動輪、９２…従動輪、９３…転輪、９４…コンベアベルト。
【図１】
2004321061.tif 000003
【図２】
2004321061.tif 000004
【図３】
2004321061.tif 000005
【図４】
2004321061.tif 000006
【図５】
2004321061.tif 000007
【図６】
2004321061.tif 000008
【図７】
2004321061.tif 000009
【図８】
2004321061.tif 000010
【図９】
2004321061.tif 000011
【図１０】
2004321061.tif 000012
【図１１】
2004321061.tif 000013
【図１２】
2004321061.tif 000014
【図１３】
2004321061.tif 000015
【図１４】
2004321061.tif 000016
【図１５】
2004321061.tif 000017
【図１６】
2004321061.tif 000018
【図１７】
2004321061.tif 000019
【図１８】
2004321061.tif 000020
【図１９】
2004321061.tif 000021
【図２０】
2004321061.tif 000022
【図２１】
2004321061.tif 000023